(57)【要約】【課題】ホルムアルデヒドの発散量の少ない床構造を提供する。【解決手段】本発明に係る床構造１は、床スラブ２と、床スラブ２の上に所定の間隔で配置された防振ゴム付きの支持脚３と、支持脚３の上に形成された床板構成部４とを備え、床板構成部４は、支持脚３の上に形成された下地板部４１と、下地板部４１の上に形成された床仕上げ部４２とにより構成され、下地板部４１の少なくとも一部に、植物の茎や葉を主成分として形成された茎葉板材（藁板材４３）が用いられたことを特徴とする。【選択図】図１
2011219990.tif 000002
【特許請求の範囲】
【請求項１】
床スラブと、床スラブの上に所定の間隔で配置された防振ゴム付きの支持脚と、支持脚の上に形成された床板構成部とを備え、床板構成部は、支持脚の上に形成された下地板部と、下地板部の上に形成された床仕上げ部とにより構成され、下地板部の少なくとも一部に、植物の茎や葉を主成分として形成された茎葉板材が用いられたことを特徴とする床構造。
【請求項２】
下地板部は、板材を上下方向に積層した複数層構造に形成され、複数層のうちの少なくとも一層が茎葉板材により構成されたことを特徴とする請求項１に記載の床構造。
【請求項３】
下地板部は、板材を上下方向に積層した三層構造に形成され、中間層が石膏ボードにより構成されたことを特徴とする請求項１に記載の床構造。
【請求項４】
下地板部は、中間層を挟む上層及び下層が茎葉板材により構成されたことを特徴とする請求項３に記載の床構造。
【請求項５】
少なくとも一層は、板面に垂直に荷重を加えた場合のヤング率が４．０１×１０４ｋｇｆ／ｃｍ２以上の板材により形成されたことを特徴とする請求項２乃至請求項４のいずれか一項に記載の床構造。
【請求項６】
下地板部のすべてが、茎葉板材により構成されたことを特徴とする請求項１に記載の床構造。
【請求項７】
下地板部の壁面に近い部分の下面に、補強材を備えたことを特徴とする請求項１乃至請求項６のいずれか一項に記載の床構造。
【発明の詳細な説明】
【技術分野】
【０００１】
本発明は、乾式二重床と呼ばれる床構造に関する。
【背景技術】
【０００２】
床スラブと、床スラブの上に所定の間隔で配置された防振ゴム付きの支持脚と、支持脚の上に形成された床板構成部とを備えた乾式二重床と呼ばれる床構造が知られている。上記床板構成部は、支持脚の上に形成された下地板部と、下地板部の上に形成された床仕上げ部とにより構成される（例えば、特許文献１等参照）。
【先行技術文献】
【特許文献】
【０００３】
【特許文献１】特開２００６−２８９５２号公報
【発明の概要】
【発明が解決しようとする課題】
【０００４】
従来、下地板部を形成する板材としてパーティクルボードや構造用合板を用いていた。しかしながら、パーティクルボードや構造用合板は、多量の接着剤を用いて作成されており、ホルムアルデヒドの発散量が多いという問題点があった。
本発明は、ホルムアルデヒドの発散量の少ない床構造を提供する。
【課題を解決するための手段】
【０００５】
本発明に係る床構造は、床スラブと、床スラブの上に所定の間隔で配置された防振ゴム付きの支持脚と、支持脚の上に形成された床板構成部とを備え、床板構成部は、支持脚の上に形成された下地板部と、下地板部の上に形成された床仕上げ部とにより構成され、下地板部の少なくとも一部に、植物の茎や葉を主成分として形成された茎葉板材が用いられたので、ホルムアルデヒドの発散量の少ない床構造を提供できる。
下地板部は、板材を上下方向に積層した複数層構造に形成され、複数層のうちの少なくとも一層が茎葉板材により構成されたので、安価でかつホルムアルデヒドの発散量の少ない床構造を提供できる。
下地板部は、板材を上下方向に積層した三層構造に形成され、中間層が石膏ボードにより構成されたので、剛性が大きく、遮音性に優れ、かつ、安価でホルムアルデヒドの発散量の少ない床構造を提供できる。
下地板部は、中間層を挟む上層及び下層が茎葉板材により構成されたので、床構造の剛性を高くでき、しかも、下層を形成する茎葉板材と支持脚の台座とを結合する釘による結合力、上層を形成する茎葉板材とフローリング等の床仕上げ部とを結合する釘による結合力を上げることができる。よって、剛性が高く、釘の引き抜けによるフローリング等の床仕上げ部や下地板部の上下動、軋み音の発生を抑制できる高品質の床構造を提供できる。
少なくとも一層は、板面に垂直に荷重を加えた場合のヤング率が４．０１×１０４ｋｇｆ／ｃｍ２以上の板材により形成されたので、当該下地板部を複数の支持脚の上に設置したことによって支持脚の防振ゴムを弾性変形許容範囲内で沈み込ませることができ、間仕切りが複数の支持脚の直上位置より外れた下地板部上、又は、床仕上げ部上に設置された場合においても間仕切りによる床板構成部の沈み込みを少なくできる。従って、間仕切りを複数の支持脚の直上位置より外して設置しても、床板構成部の床面の水平度を維持できて、きしみ音の発生を防止できるようになり、下地板部上、又は、床仕上げ部上の任意の位置に間仕切りを自由に設置できるようになるので、新築時や改築時における間仕切りの設置位置変更にかかる手間や費用を少なくできる。
下地板部のすべてが、茎葉板材により構成されたことにより、安価でホルムアルデヒドの発散量が少なく、しかも、剛性が高く、釘の引き抜けによるフローリング等の床仕上げ部や下地板部の上下動、軋み音の発生を抑制できる高品質の床構造を提供できる。
下地板部の壁面に近い部分の下面に、補強材を備えたので、下地板部の壁面近傍部分の剛性を高めることができる。
【図面の簡単な説明】
【０００６】
【図１】床構造を示す断面図（実施形態１）。
【図２】支持脚及び下層を構成する板材の配置態様を示す平面図（実施形態１）。
【図３】床構造を示す断面図（実施形態２）。
【図４】床構造を示す断面図（実施形態２）。
【図５】床構造を示す断面図（実施形態２）。
【図６】床構造を示す断面図（実施形態３）。
【図７】床構造を示す断面図（実施形態３）。
【図８】床構造を示す断面図（実施形態３）。
【図９】床構造を示す断面図（実施形態４）。
【図１０】床構造を示す断面図（実施形態６）。
【図１１】支持脚、補強材、下層を構成する板材の配置態様を示す平面図（実施形態６）。
【発明を実施するための形態】
【０００７】
実施形態１
図１；２に示すように、床構造１は、床スラブ２と、床スラブ２の上に所定の間隔で配置された防振ゴム付きの支持脚３と、支持脚３の上に形成された床板構成部４とにより形成される。
【０００８】
支持脚３は、床スラブ２上に設置される防振ゴム３１と、下部が防振ゴム３１に取付けられて防振ゴム３１に支持される例えば金属製や樹脂製等の支柱３２と、支柱３２の上端部に設けられた台座３３とを備える。支柱３２の上部の外周面は図外の雄ねじ部に形成される。
台座３３は、例えばパーティクルボードや構造用合板、あるいは、後述する茎葉板材としての藁板材などで形成される。台座３３は、台座３３の上下面に貫通する図外の貫通孔を備え、この貫通孔内には当該貫通孔を上下に貫通する金属製の筒３４が固定され、この金属製の筒３４の内周面は図外の雌ねじ部に形成される。
つまり、支持脚３は、支柱３２の上部の外周面に形成された雄ねじ部の雄ねじと金属製の筒３４の内周面に形成された雌ねじ部の雌ねじとのねじ嵌合により、台座３３が支柱３２に対して上下に移動可能に構成され、台座３３のレベル（高さ）を調整可能である。
【０００９】
床板構成部４は、支持脚３の上に形成された下地板部４１と、下地板部４１の上に形成された床仕上げ部４２とにより構成される。
【００１０】
下地板部４１は、板材を上下方向に積層した三層構造、即ち、下層５１、中間層５２、上層５３を備えた三層構造の板部により構成される。ここでの層構造とは、板材の板面同士が上下方向に重なるように積み重ねられた構造をいう。
【００１１】
支持脚３の上に形成される下層５１は、床スラブ２上に所定の間隔を隔てて設置された複数の支持脚３の台座３３上に跨るように水平に並べられた複数の藁板材４３により形成される（図２参照）。
【００１２】
下層５１の上に形成される中間層５２は、下層５１の上に水平に並べられた複数の矩形平板状の石膏ボード４４により形成される。
【００１３】
中間層５２の上に形成される上層５３は、中間層５２の上に水平に並べられた複数の矩形平板状の藁板材４３により形成される。
【００１４】
茎葉板材としての藁板材４３は、例えば、麦藁を１２ｍｍ〜１００ｍｍの長さにカットした麦藁繊維と撥水剤入りの接着剤とを混合したものをマット上に配置してプレスした後、摂氏２００℃で３〜５分間加圧成形することにより形成されたものである。
【００１５】
尚、藁は、稲、麦、とうもろこし、きび、ひえ、すすき、その他の稲科植物の茎のみを乾燥させたものであればよい。
【００１６】
藁板材４３は、例えば、１２ｍｍ〜１００ｍｍの長さにカットした比較的長さの長い麦藁繊維を主成分とし、麦藁繊維同士を結合して形成されるものであるため、以下のような特性を有する。
（１）麦藁繊維同士を結合する接着剤の量を少なくでき、ホルムアルデヒドの発散量を０．０２ｍｇ／Ｌとできる。即ち、パーティクルボードや構造用合板と比べて、接着剤の使用量が少なく、ホルムアルデヒドの発散量が少ない。つまり、藁板材４３の形成においては、麦藁の長繊維同士が絡まるため、木粉同士を接着剤で接着して形成するパーティクルボードや複数の板同士を接着剤で貼り合わせて形成する構造用合板と比べて、接着剤の量を少なくできる。
（２）板面に垂直に荷重を加えた場合の曲げ強度を１８．５Ｍｐａ、板面に垂直に荷重を加えた場合の曲げヤング係数を２．７０Ｇｐａとできる。即ち、パーティクルボードや構造用合板と比べて剛性が大きい。
（３）釘の最大引き抜き耐力を２５０Ｎとでき、釘接合せん断力最大耐力を１３３８Ｎとできる。即ち、パーティクルボードや構造用合板と比べて、釘の最大引き抜き耐力及び釘接合せん断力最大耐力が大きい。
（４）材料が藁であるため、パーティクルボードや構造用合板と比べて安価であり、また、価格の変動が少なく、安定供給が可能である。一方、パーティクルボードや構造用合板は、藁板材と比べて価格が高く、また、材料の価格変動に基づく価格の変動が大きいため、安定供給の面で問題がある。
（５）撥水性に優れる。
【００１７】
下地板部４１の上に形成される床仕上げ部４２は、例えば、フローリング、カーペット、石板、絨毯、畳などにより形成される。
【００１８】
尚、壁面６０の近く、即ち、壁際に設ける壁際支持脚３ａは、防振ゴム３１の硬度が７０°のものを用い、壁際以外の位置に設ける中央側支持脚３ｂは、防振ゴム３１の硬度が６５°のものを用いることで、重量物が設置されることが多い壁際の剛性を上げている。
【００１９】
次に床構造１の構築方法を説明する。まず、床スラブ２上に所定の間隔で複数の支持脚３を設置する。支持脚３は、台座３３が、互いに隣り合うように敷設された各藁板材４３の下面７を支持するように配置される。支持脚３の台座３３と各藁板材４３とが釘などの固定具によって互いに連結される。複数の支持脚３の台座３３の上に下層５１を形成する各藁板材４３を並べるとともに、台座３３のレベルを調整することによって、床のレベルを調整する。そして、下層５１の上に石膏ボード４４を水平に並べて設置することによって中間層５２を形成し、中間層５２の上に複数の藁板材４３を水平に並べて設置することによって上層５３を形成する。上層５３の上に床仕上げ部４２を取付ける。以上により、床構造１が形成される。
【００２０】
実施形態１によれば、下地板部４１を形成する板材としてパーティクルボードや構造用合板を用いずに藁板材４３を用いたので、ホルムアルデヒドの発散量の少ない床構造１を提供できる。
藁板材４３を用いたので、パーティクルボードや構造用合板を用いた場合と比べてコストを安くできる。
藁板材４３を用いたので、パーティクルボードや構造用合板を用いた場合と比べて、剛性を上げることができる。
下地板部４１を三層構造としたので、剛性を上げることができる。
中間層５２を石膏ボード４４により形成したので、遮音性能が向上し、剛性も上げることができる。
釘の最大引き抜き耐力及び釘接合せん断力最大耐力が大きい藁板材４３により、下層５１、及び、上層５３を形成したので、下層５１を形成する藁板材４３と台座３３とを結合する釘による結合力、上層５３を形成する藁板材４３とフローリング等の床仕上げ部４２とを結合する釘による結合力を上げることができる。よって、釘の引き抜けによるフローリング等の床仕上げ部４２や下地板部４１の上下動、この上下動による軋み音の発生を抑制できる高品質の床構造１を提供できる。
【００２１】
実施形態２
実施形態１のように、下地板部４１を、下層５１、中間層５２、上層５３を備えた三層構造の板部により構成する場合、図３に示すように、上層５３を構造用合板４６により構成したり、図４に示すように、下層５１をパーティクルボード４７により構成してもよい。このように、構造用合板４６を用いる場合は上層５３に用い、パーティクルボード４７を用いる場合は下層５１に用いることが好ましい。
また、図５のように、下層５１、中間層５２、上層５３の全てを藁板材４３で構成してもよい。
即ち、下地板部４１を、下層５１、中間層５２、上層５３を備えた三層構造の板部により構成する場合においては、少なくとも一層を藁板材４３により構成することにより、実施形態１で述べた効果を期待できる床構造１を提供できる。
【００２２】
実施形態３
下地板部４１を、下層５１及び上層５３を備えた二層構造の板部により構成してもよい。
この場合、図６に示すように、上層５３を構造用合板４６により構成して下層５１を藁板材４３により構成したり、図７に示すように、上層５３を藁板材４３により構成して下層５１をパーティクルボード４７により構成してもよい。
また、図８のように、下層５１、上層５３の全てを藁板材４３で構成してもよい。
即ち、下地板部４１を、下層５１、上層５３を備えた二層構造の板部により構成する場合においては、少なくとも一層を藁板材４３により構成すればよい。
【００２３】
実施形態４
図９に示すように、下地板部４１を、支持脚３の台座３３上に跨るように水平に並べられた複数の藁板材４３により形成された一層構造により構成してもよい。
【００２４】
実施形態５
複数層構造の下地板部４１を構成する少なくとも一層を、板面に垂直に荷重を加えた場合のヤング率が４．０１×１０４ｋｇｆ／ｃｍ２以上の板材により形成するようにする。例えば、中間層５２を、板面に垂直に荷重を加えた場合のヤング率が４．０１×１０４ｋｇｆ／ｃｍ２以上の石膏ボード４４により形成した床構造１とする。
当該床構造１によれば、下地板部４１を複数の支持脚３の上に設置したことによって支持脚３の防振ゴム３１を弾性変形許容範囲内で沈み込ませることができ、図外の間仕切りが複数の支持脚３の直上位置より外れた下地板部４１上に設置された場合においても間仕切りによる床板構成部４の沈み込みを少なくできる。
つまり、板面に垂直に荷重を加えた場合のヤング率が４．０１×１０４ｋｇｆ／ｃｍ２以上の板材により形成された少なくとも一層を有する下地板部４１を複数の支持脚３の上に設置したことによって支持脚３の防振ゴム３１を弾性変形許容範囲内で沈み込ませているので、間仕切りが複数の支持脚３の直上位置より外れて設置された場合において、間仕切りの位置に近い床板構成部４の上を人が歩いた場合でも、間仕切りと床板構成部４とが動きにくくなるので、間仕切りと床板構成部４とが擦れあったりすることによるきしみ音の発生が少なくなる。
また、間仕切りが複数の支持脚３の直上位置より外れた下地板部４１又は床仕上げ部４２上に設置された場合においても間仕切りによる床板構成部４の沈み込みを少なくできるので、床板構成部４の床面（床仕上げ部４２による床仕上げ面）の水平度を維持できる。
よって、間仕切りを複数の支持脚３の直上位置より外して設置しても、床板構成部４の床面の水平度を維持できて、きしみ音の発生を防止できるようになるので、下地板部４１又は床仕上げ部４２上の任意の位置に間仕切りを自由に設置できるようになる。
従って、実施形態５の床構造１によれば、新築時において下地板部４１まで施工した後に施主の意向に応じて間仕切りを設ける位置を自由に決めることができたり、改築時において間仕切りの位置を変えたい場合には、古い間仕切りを撤去して下地板部４１上に新しい間仕切りを取付けるだけでよくなり、床板構成部４を解体して支持脚３の位置を変えたりする必要がなくなるので、新築時や改築時における間仕切りの設置位置変更にかかる手間や費用を少なくできる。
【００２５】
実施形態６
図１０；１１に示すように、室内の壁際に配置される下地板部４１の壁面６０に近い部分の下面６５に補強材６６が取付けられた構成とする。
補強材６６は、細長い平板状に形成され、長手方向が壁面６０に沿った方向に延長するとともに、短手方向が下地板部４１の下面６５に沿って壁面６０より離れる方向に延長するように設けられる。
補強材６６は、下地板部４１の壁面６０に近い部分の下面６５に強固に一体化されるように固定具によって取付けられる。例えば、補強材６６と下地板部４１とが、釘、ビス、ステープル、接着剤のうちの１つあるいは２つ以上の併用によって、互いに強固に一体化するように取付けられる。
補強材６６としては、藁板材、パーティクルボード、木材、石膏ボード、金属、中密度繊維板（MDF (medium density fiberboard) )、木質系建材、断熱性建材、樹脂、紙などにより形成されたものを用いればよい。
実施形態６の床構造１によれば、補強材６６が、下地板部４１の壁面６０に近い部分の下面６５に強固に一体化されるように取付けられ、支持脚３が補強材６６の下方に設置されて台座３３の上面３３ａと補強材６６の下面６７とが接触した状態で台座３３と補強材６６とが固定具により互いに固定されたことによって、補強材６６の下面６７が支持脚３によって支持されたので、補強材６６と支持脚３とによって下地板部４１の壁面６０に近い部分の剛性を上げることができる。尚、床構造１における、下地板部４１の壁面６０に近い部分の剛性は、補強材６６の上下方向（下地板部４１の下面６５より床スラブ２に向かう方向）に延長する長さ（＝厚さ）ｔの２乗に比例して大きくなるので、長さｔを長くすることで、下地板部４１の壁面６０に近い部分の剛性を向上できる。よって、補強材６６の上下方向に延長する長さｔを調整することによって、下地板部４１の壁面６０に近い部分に所望の剛性を与えることができる。
特に、二層以下の板材により形成された下地板部４１を用いて床構造１を構成する場合に補強材６６を設けることが好ましい。
【００２６】
実施形態７
藁板材４３は、撥水性能を有するので、水平に設置された藁板材４３の上面に紙などの図外の吸水シートを設けることが好ましい。特に、水回りの付近に設けた藁板材４３の上面に吸水シートを設けることが好ましい。また、水回りの付近のみ、藁板材４３を用いない床構造１としてもよい。
【００２７】
尚、下地板部４１の少なくとも一部が藁板材４３により形成された床構造１とすれば、ホルムアルデヒドの発散量の少ない床構造１を提供できる。
また、本発明で用いる茎葉板材としては、植物の茎又は葉、あるいは、植物の茎及び葉を主成分として形成されたものであって、単位面積当りの接着剤使用量がパーティクルボードや構造用合板よりも少ないものであればよい。
【符号の説明】
【００２８】
１  床構造、２  床スラブ、３  支持脚、４  床板構成部、
４１  下地板部、４２  床仕上げ部、４３  藁板材（茎葉板材）、
４４  石膏ボード、５１  下層、５２  中間層、５３  上層、６５  下面、
６６  補強材。
【図１】
2011219990.tif 000003
【図２】
2011219990.tif 000004
【図３】
2011219990.tif 000005
【図４】
2011219990.tif 000006
【図５】
2011219990.tif 000007
【図６】
2011219990.tif 000008
【図７】
2011219990.tif 000009
【図８】
2011219990.tif 000010
【図９】
2011219990.tif 000011
【図１０】
2011219990.tif 000012
【図１１】
2011219990.tif 000013